(57)【要約】【課題】本発明は、単一の装置で、生体の降血圧促進機能、酸化ストレスや精神的ストレスの抑制機能、更には、エネルギー効率化機能を有する生体の降血圧促進・ストレス抑制・エネルギー効率化装置を提供するものである。【解決手段】本発明の生体の降血圧促進・ストレス抑制・エネルギー効率化装置１は、内部に血液が存在する生体構成要素の周りに巻き付け両端同士を着脱可能に止め付けるバンド式の取り付け具２と、取り付け具２により、生体構成要素である手首３１又は足首３２の外周に、この生体構成要素を挟んで正対するように分離配置されるとともに、生体構成要素内の血管中の血液に磁界により収束した黒体放射焼結体２３が放射する電磁波を作用させる複数個の電磁波作用体２１と、を有する構成としたものである。【選択図】図１
2019217024.tif 000002
【特許請求の範囲】
【請求項１】
内部に血液が存在する生体構成要素の周りに巻き付け両端同士を着脱可能に止め付けるバンド式の取り付け具と、
前記取り付け具により、前記生体構成要素の外周に、この生体構成要素を挟んで正対するように分離配置されるとともに、生体構成要素内の血管中の血液に磁界により収束した黒体放射焼結体が放射する電磁波を作用させる複数個の電磁波作用体と、
を有し、
前記電磁波の前記血液に対する作用により、生体の降血圧促進機能を発揮させることを特徴とする生体の降血圧促進・ストレス抑制・エネルギー効率化装置。
【請求項２】
内部に血液が存在する生体構成要素の周りに巻き付け両端同士を着脱可能に止め付けるバンド式の取り付け具と、
前記取り付け具により、前記生体構成要素の外周に、この生体構成要素を挟んで正対するように分離配置されるとともに、生体構成要素内の血管中の血液に磁界により収束した黒体放射焼結体が放射する電磁波を作用させる複数個の電磁波作用体と、
を有し、
前記電磁波の前記血液に対する作用により、生体の酸化ストレス抑制機能を発揮させることを特徴とする生体の降血圧促進・ストレス抑制・エネルギー効率化装置。
【請求項３】
内部に血液が存在する生体構成要素の周りに巻き付け両端同士を着脱可能に止め付けるバンド式の取り付け具と、
前記取り付け具により、前記生体構成要素の外周に、この生体構成要素を挟んで正対するように分離配置されるとともに、生体構成要素内の血管中の血液に磁界により収束した黒体放射焼結体が放射する電磁波を作用させる複数個の電磁波作用体と、
を有し、
前記電磁波の前記血液に対する作用により、生体の精神的ストレス抑制機能を発揮させることを特徴とする生体の降血圧促進・ストレス抑制・エネルギー効率化装置。
【請求項４】
内部に血液が存在する生体構成要素の周りに巻き付け両端同士を着脱可能に止め付けるバンド式の取り付け具と、
前記取り付け具により、前記生体構成要素の外周に、この生体構成要素を挟んで正対するように分離配置されるとともに、生体構成要素内の血管中の血液に磁界により収束した黒体放射焼結体が放射する電磁波を作用させる複数個の電磁波作用体と、
を有し、
前記電磁波の前記血液に対する作用により、生体のエネルギー効率化機能を発揮させることを特徴とする生体の降血圧促進・ストレス抑制・エネルギー効率化装置。
【発明の詳細な説明】
【技術分野】
【０００１】
本発明は、生体の降血圧促進・ストレス抑制・エネルギー効率化装置に関するものであり、詳しくは、生体の降血圧機能、酸化ストレスや精神的ストレスのようなストレスの抑制機能、更には、生体エネルギーの効率化機能を有する生体の降血圧促進・ストレス抑制・エネルギー効率化装置に関するものである。
【背景技術】
【０００２】
従来、生体における血液の酸化ストレスの蓄積により、老化又は動脈硬化、高血圧、肥満、不眠症、骨折や脳卒中等の疾病を引き起こすことが知られている。
【０００３】
本願の出願人は、上記事情に鑑み、先に生体に対するバンド着脱式で取り扱いが簡略な構成の基に生体の血管内を流れる血液の酸化ストレスの抑制を行うバンド着脱式血液酸化ストレス抑制具を提案している（特許文献１）。
【０００４】
また、生体の活動維持のためには、酸化ストレスの抑制の他、正常人の降血圧機能、精神的ストレス抑制機能、生体エネルギーの効率化機能を有する多機能な装置の出現が要請されるところである。
【０００５】
本発明は、上記本願の出願人に係るバンド着脱式血液酸化ストレス抑制具の技術を踏まえ、その機能拡張を図り、単一の装置で、生体の降血圧促進・酸化ストレスや精神的ストレスのストレス抑制機能・エネルギー効率化機能を有する生体の降血圧促進・ストレス抑制・エネルギー効率化装置を開発したものである。
【先行技術文献】
【特許文献】
【０００６】
【特許文献１】特開２０１７−８６５３４号公報
【発明の概要】
【発明が解決しようとする課題】
【０００７】
本発明は、単一の装置で、生体の降血圧促進機能、酸化ストレスや精神的ストレスの抑制機能、更には、エネルギー効率化機能を有する生体の降血圧促進・ストレス抑制・エネルギー効率化装置を提供するものである。
【課題を解決するための手段】
【０００８】
本発明に係る生体の降血圧促進・ストレス抑制・エネルギー効率化装置は、内部に血液が存在する生体構成要素の周りに巻き付け両端同士を着脱可能に止め付けるバンド式の取り付け具と、記取り付け具により、前記生体構成要素の外周に、この生体構成要素を挟んで正対するように分離配置されるとともに、生体構成要素内の血管中の血液に磁界により収束した黒体放射焼結体が放射する電磁波を作用させる複数個の電磁波作用体と、を有し、前記電磁波の前記血液に対する作用により、生体の降血圧促進機能を発揮させることを最も主要な特徴とする。
【発明の効果】
【０００９】
請求項１記載の発明によれば、健常人の血圧値を有意に低下させる生体用の降圧医療機器として極めて有用な生体の降血圧促進・ストレス抑制・エネルギー効率化装置を実現し提供することができる。
【００１０】
請求項２記載の発明によれば、生体のｄ−ＲＯＭの低減効果、すなわち、酸化ストレス低減効果を発揮させることができる生体の降血圧促進・ストレス抑制・エネルギー効率化装置を実現し提供することができる。
【００１１】
請求項３記載の発明によれば、生体の脳波のα／β比を上昇させ、また、心拍間隔の伸長や、心拍振動に関するＬＦ／ＨＦ比の減少効果を発揮させ、生体にリラックスを誘導し精神的ストレス抑制を実現することができる生体の降血圧促進・ストレス抑制・エネルギー効率化装置を実現し提供することができる。
【００１２】
請求項４記載の発明によれば、優れた血小板の凝集能を発揮し、また、生体の心筋酸素消費量を低減させる効果もあり、生体の生体エネルギー効率化機能を有する生体の降血圧促進・ストレス抑制・エネルギー効率化装置を実現し提供することができる。
【図面の簡単な説明】
【００１３】
【図１】図１は本発明の実施例に係る生体の降血圧促進・ストレス抑制・エネルギー効率化装置の全体構成を示す概略正面図である。
【図２】図２は本実施例に係る生体の降血圧促進・ストレス抑制・エネルギー効率化装置の全体構成を示す概略平面図である。
【図３】図３は本実施例に係る生体の降血圧促進・ストレス抑制・エネルギー効率化装置を構成する電磁波作用体の概略断面図である。
【図４】図４は本実施例に係る生体の降血圧促進・ストレス抑制・エネルギー効率化装置における電磁波作用体を構成する多層磁性体の要素である磁石板を示す平面図である。
【図５】図５は本実施例に係る生体の降血圧促進・ストレス抑制・エネルギー効率化装置の手首への取り付け例を示す概略側面図である。
【図６】図６は本実施例に係る生体の降血圧促進・ストレス抑制・エネルギー効率化装置の足首への取り付け例を示す概略側面図である。
【図７】図７は本実施例に係る生体の降血圧促進・ストレス抑制・エネルギー効率化装置の足首への取り付け例を示す概略断面図である。
【図８】図８は本実施例に係る生体の降血圧促進・ストレス抑制・エネルギー効率化装置の使用による計測に関連する平均血圧、収縮期血圧、拡張期血圧、脈拍数、心筋酸素消費量の全測定データを示す図である。
【図９】図９は本実施例に係る生体の降血圧促進・ストレス抑制・エネルギー効率化装置の使用によるコントロール、マグネット使用との対比に係る健常人の血圧低下効果を示す図である。
【図１０】図１０は本実施例に係る生体の降血圧促進・ストレス抑制・エネルギー効率化装置の使用によるコントロールとの対比に係る平均血圧頻度の低血圧側へのシフトを示す図である。
【図１１】図１１は本実施例に係る生体の降血圧促進・ストレス抑制・エネルギー効率化装置の使用によるコントロールとの対比に係る低下血圧値を示す図である。
【図１２】図１２は本実施例に係る生体の降血圧促進・ストレス抑制・エネルギー効率化装置の使用による生体の血液のｄ−ＲＯＭ、ＢＡＰのコントロールとの対比に係る低減効果を示す図である。
【図１３】図１３は本実施例に係る生体の降血圧促進・ストレス抑制・エネルギー効率化装置の使用による生体の脳波のα／β比のマグネット使用との対比に係る計測結果を示す図である。
【図１４】図１４は本実施例に係る生体の降血圧促進・ストレス抑制・エネルギー効率化装置の使用による生体の心拍変動に関するＬＦ／ＨＦ比のマグネット使用との対比に係る計測結果を示す図である。
【図１５】図１５は本実施例に係る生体の降血圧促進・ストレス抑制・エネルギー効率化装置の三日間使用によるマグネット使用との対比に係る血小板濃度に対応した凝集能を示す図である。
【図１６】図１６は本実施例に係る生体の降血圧促進・ストレス抑制・エネルギー効率化装置の使用による生体の心筋酸素消費量のコントロール、マグネット使用との対比に係る計測結果を示す図である。
【発明を実施するための形態】
【００１４】
本発明は、単一の装置で生体の降血圧促進機能、酸化ストレスや精神的ストレスの抑制機能、更には、エネルギー効率化機能を有する生体の降血圧促進・ストレス抑制・エネルギー効率化装置を実現し提供するという目的を、内部に血液が存在する生体構成要素の周りに巻き付け両端同士を着脱可能に止め付けるバンド式の取り付け具と、記取り付け具により、前記生体構成要素の外周に、この生体構成要素を挟んで正対するように分離配置されるとともに、生体構成要素内の血管中の血液に磁界により収束した黒体放射焼結体が放射する電磁波を作用させる複数個の電磁波作用体と、を有し、前記電磁波の前記血液に対する作用により、生体の降血圧促進、酸化ストレスや精神的ストレスの抑制、エネルギー効率化を図る構成により実現した。
【実施例】
【００１５】
以下、図面を参照して、本発明の実施例に係る生体の降血圧促進・ストレス抑制・エネルギー効率化装置について詳細に説明する。
【００１６】
本発明の実施例に係る生体の降血圧促進・ストレス抑制・エネルギー効率化装置１（以下「パイプテクター（本出願人の登録商標）」又は「ＮＭＲパイプテクター（本出願人の登録商標）」とも称する）は、詳細は後述する黒体放射焼結体２３から放射され多層磁性体２４を通過した特定波長の電磁波により生体構成要素である手首３１又は足首３２内の血管を流れる血液中の水分の水素核に共鳴を発生させ、これにより、水の凝集体を小さくする。
【００１７】
そして、水の凝集体が小さくなったことで、水和電子の位置を凝集体の外側に移動させて、その血液の流れによる運動エネルギーで水和電子を血管内に流通させて、血管内の血液中の活性酸素を抑制する。すなわち、例えば生体の降血圧促進機能・酸化ストレスや精神的ストレスの抑制機能・エネルギー効率化機能を実現するものである。
【００１８】
なお、「パイプテクター」又は「ＮＭＲパイプテクター」は、前記したように、夫々本出願人の登録商標である。
【００１９】
本実施例に係る生体の降血圧促進・ストレス抑制・エネルギー効率化装置１について図１乃至図４を参照して具体的に説明する。
【００２０】
本実施例に係る生体の降血圧促進・ストレス抑制・エネルギー効率化装置１は、内部に血液が存在する生体の手首３１又は足首３２の周りに巻き付ける例えば伸縮性を有し帯状に形成した布製二層形態のバンド３と、このバンド３の両端に配置した止着具オス１２と止着具メス１３とからなる止着具１１とを具備し、前記手首又は足首の周りに着脱可能に取り付けるバンド式の取り付け具２と、前記取り付け具２に保持されて前記手首３１又は足首３２の外周にこの手首３１又は足首３２を挟んで正対（相対向）するように例えば２個分離配置される直方体状の電磁波作用体２１と、を有している。
前記止着具オス１２と止着具メス１３とは、ワンンタッチで嵌め付け、分離可能な構造を採用している。
【００２１】
前記バンド３は、二層構造で、前記手首３１又は足首３２の外周寸法に略相当する長さを有し、図１、図２においてその中央部より右側に一方の電磁波作用体２１を保持し、中央部より左側に他方の電磁波作用体２１を保持し、また、右側の端部にバンド３を挿通状態で止着具オス１２を取り付け、左側の端部にバンド３を挿通状態で止着具メス１３を取り付けている。
【００２２】
前記止着具オス１２は、止着具オス基部１２ａと、この止着具オス基部１２ａから外方に突設するとともに、止着具オス基部１２ａにより回動可能に支持された一対の開閉嵌め付け片１２ｂ、１２ｂと、前記止着具オス基部１２ａに設けた前記バンド３挿通用の挿通穴１２ｃとを具備している。
【００２３】
そして、前記一対の開閉嵌め付け片１２ｂ、１２ｂを、各々バネ作用により常時開方向（前記バンド３の幅方向）に一定の範囲で付勢している。
【００２４】
前記止着具メス１３は、止着具メス基部１３ａと、この止着具メス基部１３ａと一体の止着具オス受部１３ｂと、前記止着具メス基部１３ａに設けた前記バンド３挿通用の挿通穴１３ｄとを具備している。
【００２５】
前記止着具オス受部１３ｂは、前記一対の開閉嵌め付け片１２ｂ、１２ｂを嵌装し前記止着具オス１２を前記止着具メス１３に連結可能に構成するとともに、前記開閉嵌め付け片１２ｂ、１２ｂが嵌装されたとき、これら開閉嵌め付け片１２ｂ、１２ｂの一部（前記バンド３の幅方向に位置する側辺部の一部）が表出し、操作者が前記バネ作用による付勢力に抗して開閉嵌め付け片１２ｂ、１２ｂを指操作し前記止着具オス１２を前記止着具メス１３から離脱し得るように一対の操作用凹部１３ｃ、１３ｃを設けている。
【００２６】
更に、前記バンド３は、その中央部より右側に一方の電磁波作用体２１をその長辺方向で包囲して保持する包囲保持部３ａを設け、中央部より左側に他方の電磁波作用体２１をその長辺方向で包囲して保持する包囲保持部３ｂを設けている。
【００２７】
前記包囲保持部３ａと、包囲保持部３ｂとの間隔は、本実施例に係る生体の降血圧促進・ストレス抑制・エネルギー効率化装置１を生体の手首３１又は足首３２の外周に取り付けたとき、前記包囲保持部３ａと包囲保持部３ｂとにより、各々保持された２個の電磁波作用体２１、２１がこの手首３１又は足首３２を挟んで正対（相対向）するような所定の間隔に設定している。
【００２８】
また、前記一方の包囲保持部３ａは、二層構造のバンド３の一部を、電磁波作用体２１をその長辺方向で包囲可能な範囲で一層ずつ上下に分離した状態とし、その分離した領域内に電磁波作用体２１を挟み込み、更に、電磁波作用体２１の上面と上側の一層部分、電磁波作用体２１の下面と下側の一層部分を、各々接着剤を用いて固着して電磁波作用体２１を定位置に保持するように構成している。
【００２９】
なお、他方の包囲保持部３ｂも一方の包囲保持部３ａと同様に構成している。
【００３０】
更に、前記二層構造のバンド３は、前記止着具オス１２の近傍位置から一方の包囲保持部３ａの近傍位置に至る範囲、一方の包囲保持部３ａの近傍位置から他方の包囲保持部３ｂの近傍位置に至る範囲、及び他方の包囲保持部３ｂの近傍位置から前記止着具メス１３の近傍位置に至る範囲を、各々二層構造が一体化するように接着剤を用いて接着して構成している。
【００３１】
次に、前記電磁波作用体２１について図３、図４を参照して詳述する。
【００３２】
前記電磁波作用体２１は、例えばステンレス製で直方体状の容器２２と、この容器内に配置した電磁波を放射する直方体状の黒体放射焼結体２３と、この黒体放射焼結体２３と重合配置され前記黒体放射焼結体２３が放射する電磁波を磁界により収束して手首又は足首内の血管中の血液に作用させる孔空き構造の多層磁性体２４と、を具備している。
【００３３】
前記黒体放射焼結体２３は、複種類の金属酸化物を粉体化し、１０００〜１４００℃で熱処理して形成されている。
【００３４】
前記黒体放射焼結体２３は、７種の原料、すなわちコバルト（Ｃｏｂａｌｔ）、ニッケル（Ｎｉｃｋｅｌ）、マンガン（Ｍａｎｇａｎｅｓｅ）、銅（Ｃｏｐｐｅｒ）、鉄（Ｉｒｏｎ）、ボロン（Ｂｏｒｏｎ）、アルミニウム（Ａｌｕｍｉｎｕｍ）を主成分として、これらに、ネオジウム（Ｎｅｏｄｙｍｉｕｍ）、プラセオジウム（Ｐｒａｓｅｏｄｙｍｉｕｍ）、イットリウム（Ｙｔｔｒｉｕｍ）、ランサニウム（Ｌａｎｔｈａｎｕｍ）、セリウム（Ｃｅｒｉｕｍ）、サマリウム（Ｓａｍａｒｉｕｍ）、ユウロピウム（Ｅｕｒｏｐｉｕｍ）、ガドリニウム（Ｇａｄｏｌｉｎｉｕｍ）、テルビウム（Ｔｅｒｂｉｕｍ）、ディスプロシウム（Ｄｙｓｐｒｏｓｉｕｍ）、ホルミウム（Ｈｏｌｍｉｕｍ）、エルビウム（Ｅｒｂｉｕｍ）、ツリウム（Ｔｈｕｌｉｕｍ）、イッテルビウム（Ｙｔｔｅｒｂｉｕｍ）、ルテチウム（Ｌｕｔｅｔｉｕｍ）、クロミウム（Ｃｈｒｏｍｉｕｍ）の内の５種の金属酸化物を混合、すなわち、計１２種の金属酸化物を混合して形成されている。
【００３５】
前記多層磁性体２４は、長方形状の磁石板２５を、Ｎ極とＳ極とが互いに交互に配置されるように非磁性体被覆２６を用いて多層（例えば３層）一体構造としたものである。
【００３６】
また、各磁石板２５には、例えば直径１ｍｍ以下の微細な電磁波通過穴２５ａが多数設けられ、各磁石板２５の各電磁波通過穴２５ａがその重なり方向で一直線に並ぶように配列されている。
【００３７】
そして、前記生体の降血圧促進・ストレス抑制・エネルギー効率化装置１を手首３１又は足首３２の周りに取り付けたとき、前記電磁波作用体２１を構成する前記黒体放射焼結体２３が放射する電磁波を、前記多層磁性体２４の一直線に並んだ各電磁波通過穴２５ａを通過させ磁界により収束して手首３１又は足首３２内の血管中の血液に作用させるように構成している。
【００３８】
図５は、本実施例の生体の降血圧促進・ストレス抑制・エネルギー効率化装置１を、被験者の手首３１に取り付けた状態を示すものである。
【００３９】
また、図６、図７は、生体の降血圧促進・ストレス抑制・エネルギー効率化装置１を、被験者の足首３２に取り付けた状態を示すものである。
【００４０】
次に、本実施例の生体の降血圧促進・ストレス抑制・エネルギー効率化装置１を使用した場合における生体の降血圧促進、酸化ストレス抑制、精神的ストレス抑制及び生体エネルギー効率化に関する各試験結果について場合を分けて説明する。
【００４１】
（生体の降血圧促進機能）
まず生体の降血圧促進機能のための計測を実施した。
生体（被験者）の降血圧促進機能計測は、健常人１２人の被験者に対して自動血圧計測装置（エー・アンド・デイ社）と、既述したパイプテクターと、磁力をパイプテクターの磁力と同等としたマグネットを使用して行った。また、１時間毎、２４時間連続で３日間行った。
【００４２】
計測の順序は、コントロール計測→マグネット計測→パイプテクター計測の順に３日間行った。更に、有意義差検定（複数の夫々の数値の間に有意差があるかどうかを検定・検証）はｔ検定により行った。
【００４３】
ここで、パイプテクター計測は、生体の手首外周に既述したパイプテクターを装着することにより、また、マグネット計測は同様に生体の手首外周に既述したマグネットを装着することにより行った。
【００４４】
また、パイプテクターやマグネットを使用しない自動血圧計測装置の計測値をコントロールとした。
【００４５】
図８は、本実施例に係るパイプテクターの使用による継時的な計測に関連する平均血圧（ｍｍＨｇ）、収縮期血圧（ｍｍＨｇ）、拡張期血圧（ｍｍＨｇ）、脈拍数（ｂｐｍ）、心筋酸素消費量（Ｕｎｉｔ）、及びｔ検定のｐ値の全データ（ｎ＝１２）を示すものである。
【００４６】
図９は、本実施例に係るパイプテクターの使用によるコントロール、マグネット使用との対比に係る健常人の血圧低下効果を示すものであり、収縮期血圧、拡張期血圧、及び平均血圧のいずれにおいてもパイプテクターの使用による血圧低下効果は明らかである。
【００４７】
図１０は本実施例に係るパイプテクターの使用によるコントロールとの対比に係る平均血圧頻度の低血圧側へのシフトを示すものであり、パイプテクターの使用による平均血圧頻度の低血圧側へのシフト効果は明らかである。
【００４８】
図１１は本実施例に係るパイプテクターの使用によるコントロールとの対比に係る１０−１７時、０−２４時の計測についての低下血圧値（血圧差）を示すものであり、同図から明らかなように、本実施例のパイプテクターは健常人の血圧値を有意に３．３〜５．７ｍｍＨｇ低下させることから、生体用の降圧医療機器として極めて有用である。
【００４９】
（酸化ストレス抑制機能）
生体（被験者）の酸化ストレス抑制機能を検証するために、生体（被験者）の血液のｄ−ＲＯＭ、ＢＡＰ計測を、コントロール計測→ＮＭＲパイプテクター計測の順に行った。
【００５０】
すなわち、ウイスマー社のＦＲＡＳ４（Ｆｒｅｅ  Ｒａｄｉｃａｌ  Ａｎａｌｙｔｉｃａｌ  Ｓｙｓｔｅｍ４）と、既述した場合と同様な態様のＮＭＲパイプテクター（１０分装着）とを使用して採血した血液のｄ−ＲＯＭと抗酸化力（ＢＡＰ）を計測した。
【００５１】
ここに、「ｄ−ＲＯＭ」とは、「Ｄｉａｃｒｏｎ  Ｒｅａｃｔｉｖｅ  Ｏｘｙｇｅｎ  Ｍｅｔａｂｏｌｉｔｅｓ」の略称で、「酸化ストレス」を意味する。
【００５２】
また、「ＢＡＰ」とは、「Ｂｉｏｌｏｇｉｃａｌ  Ａｎｔｉｏｘｉｄａｎｔ  Ｐｏｔｅｎｔｉａｌ」の略称で、「抗酸化力」を意味する。
【００５３】
更に、ウイスマー社のＦＲＡＳ４による計測値をコントロールとした。有意義差検定はｔ検定により行った。
【００５４】
図１２は、本実施例に係る生体の降血圧促進・ストレス抑制・エネルギー効率化装置の使用による生体の血液のｄ−ＲＯＭ、ＢＡＰのコントロールとの対比に係る低減効果を示す図であり、生体（被験者）の血液のｄ−ＲＯＭの計測結果を、ＮＭＲパイプテクターを１０分間手首に装着した場合と、生体（被験者）の血液のＢＡＰを、ＮＭＲパイプテクターを１０分間手首に装着した場合とを各々コントロールとの比較により示すものである。
【００５５】
図１２から明らかなように、本実施例のＮＭＲパイプテクターを１０分間手首に装着した後において、ｄ−ＲＯＭの低減効果、すなわち、酸化ストレス低減効果を発揮させることができる。
【００５６】
（精神的ストレス抑制機能）
生体（被験者）の精神的ストレス抑制機能の検証のために、ＡＴＲ社の計測機（株式会社ＡＴＲ−Ｐｒｏｍｏｔｉｏｎｓの小型無線多機能センサ  ＴＳＮＤ１２１／１５１）と、既述した場合と同様な態様のパイプテクターと、既述した場合と同様な態様のマグネットを使用して生体（被験者）の脳波のα／β比を計測した。
【００５７】
また、生体（被験者）の精神的ストレス抑制機能の検証のために、前記ＡＴＲ社の計測機と、既述した場合と同様な態様のパイプテクター（１０分装着）と、既述した場合と同様な態様のマグネット（１０分装着）との夫々を使用して生体（被験者）の心拍変動からＬＦ／ＨＦ比を計測した。
【００５８】
更に、有意義差検定はｔ検定により行った。
【００５９】
図１３は、この場合の脳波のα／β比の計測結果をマグネット使用の場合と比較して示すものであり、また、図１４は、この場合の生体（被験者）の心拍変動に基づくＬＦ／ＨＦ比（１０分経過後）の計測結果をコントロールとマグネット使用の場合とを比較して示すものである。
【００６０】
図１３から明らかなように、パイプテクター処理により脳波のα／β比は延び、更に図１３から明らかなように、パイプテクター処理によりＬＦ／ＨＦ比は減少することが判明した。
【００６１】
以上から、本実施例のパイプテクターを１０分間手首に装着した後、脳波のα／β比が上昇することから、このパイプテクターは血液を介して生体にリラックスを誘導し精神的ストレス抑制を実現するものである。
【００６２】
また、本実施例のパイプテクターは、有意に心拍間隔を伸長させ、かつ、心拍振動に関するＬＦ／ＨＦ比を減少させていることから、このパイプテクターは血液を介して生体にリラックスを誘導し精神的ストレス抑制を実現するものである。
【００６３】
（生体エネルギー効率化機能）
生体（被験者）の生体エネルギー効率化機能の検証のために、血小板の凝集能に及ぼす影響を計測した。また、有意義差検定はｔ検定により行った。
【００６４】
図１５は、本実施例に係るパイプテクターの三日間使用によるマグネット使用との対比に係るコラーゲン濃度に対応した凝集能（％）を示すものである。
【００６５】
図１６は、本実施例に係るパイプテクターの使用による生体の心筋酸素消費量（Ｕｎｉｔ）のコントロール、マグネット使用との対比に係る計測（１２時から１８時）結果を示すものである。
【００６６】
図１５、図１６から明らかなように、本実施例のパイプテクター処理により、優れた血小板の凝集能を発揮し、また、生体の心筋酸素消費量を低減させる効果もあり、これらにより、生体の生体エネルギー効率化機能を有するものである。
【００６７】
なお、上述した本実施例に係る生体の降血圧促進・ストレス抑制・エネルギー効率化装置１に替えて、本願の出願人が先に提案した指挿入式の血液酸化抑制器具（特開２０１１−２５５０９４号）を使用することもできる。
【産業上の利用可能性】
【００６８】
本発明の生体の降血圧促進・ストレス抑制・エネルギー効率化装置は、上述した生体の降血圧促進・ストレス抑制・エネルギー効率化の他に、生体の心筋梗塞、脳梗塞、動脈硬化等の疾患防止対策用の装置として広範に応用可能である。
【符号の説明】
【００６９】
１    生体の降血圧促進・ストレス抑制・エネルギー効率化装置（パイプテクター）
２    取り付け具
３    バンド
３ａ  包囲保持部
３ｂ  包囲保持部
１１    止着具
１２    止着具オス
１２ａ  止着具オス基部
１２ｂ  開閉嵌め付け片
１２ｃ  挿通穴
１３    止着具メス
１３ａ  止着具メス基部
１３ｂ  止着具オス受部
１３ｃ  挿通穴
１３ｄ  操作用凹部
２１    電磁波作用体
２２    容器
２３    黒体放射焼結体
２４    多層磁性体
２５    磁石板
２５ａ  電磁波通過穴
２６    非磁性体被覆
３１    手首
３２    足首
【図１】
2019217024.tif 000003
【図２】
2019217024.tif 000004
【図３】
2019217024.tif 000005
【図４】
2019217024.tif 000006
【図５】
2019217024.tif 000007
【図６】
2019217024.tif 000008
【図７】
2019217024.tif 000009
【図８】
2019217024.tif 000010
【図９】
2019217024.tif 000011
【図１０】
2019217024.tif 000012
【図１１】
2019217024.tif 000013
【図１２】
2019217024.tif 000014
【図１３】
2019217024.tif 000015
【図１４】
2019217024.tif 000016
【図１５】
2019217024.tif 000017
【図１６】
2019217024.tif 000018